(57)【要約】【課題】クリームがかった色味を呈する表示となることを抑え、意匠性の高い表示を実現し、通常発光時には効率良く光源の光を導出することができると共に蓄光もでき、暗転時には効率良く蓄光層の蓄光を導出することができる表示パネルを提供する。【解決手段】本発明の表示パネルは、光を発する光源１１と、光源１１に隣接し、光源１１の光を出射する導光板７と、導光板７の光を受け蓄光すると共に蓄光した光を導出する蓄光シート６とを有し、蓄光シート６は、蓄光層４と当該蓄光層４に導光板７の光を導くと共に蓄光層４で蓄光された光を導光板７側に導出する半透過性反射層５とを有していることを特徴とする。【選択図】  図１
2015041087.tif 000002
【特許請求の範囲】
【請求項１】
光を発する光源と、
前記光源に隣接し、前記光源の光を出射する導光板と、
前記導光板の光を受け蓄光すると共に蓄光した光を導出する蓄光シートと、を有し、
前記蓄光シートは、蓄光層と当該蓄光層に前記導光板の光を導くと共に前記蓄光層で蓄光された光を前記導光板側に導出する半透過性反射層とを有していること
を特徴とする表示パネル。
【請求項２】
前記導光板の一方の側が意匠シートを搭載する意匠シート搭載面となり、
前記蓄光シートは、前記導光板の他方側に配置され、前記意匠シート搭載面側に向かって前記半透過性反射層側を配置してなること
を特徴とする請求項１に記載の表示パネル。
【請求項３】
前記蓄光シートの前記導光板の配設面とは反対側には反射シートが設けられること
を特徴とする請求項１に記載の表示パネル。
【請求項４】
前記導光板は、少なくともその一主面に複数の凹部又は凸部が形成されていること
を特徴とする請求項１に記載の表示パネル。
【請求項５】
前記蓄光シートを複数枚積層したこと
を特徴とする請求項１に記載の表示パネル。
【請求項６】
前記導光板の前記蓄光シートの配設位置とは反対側には乳半板と意匠シートと透明アクリル板とが順に積層されていること
を特徴とする請求項１乃至５のいずれかに記載の表示パネル。
【請求項７】
光を発する光源と、
前記光源に隣接し、前記光源の光を出射する導光板と、
前記導光板の光を受け蓄光すると共に蓄光した光を導出する蓄光シートと、
前記光源、前記導光板、前記蓄光シートを少なくとも保持する筺体部と、を有し、
前記蓄光シートは、蓄光層と当該蓄光層に前記導光板の光を導くと共に前記蓄光層で蓄光された光を前記導光板側に導出する半透過性反射層とを有していること
を特徴とする案内表示装置。
【請求項８】
前記導光板の一方の側が情報表示面側となること
を特徴とする請求項７に記載の案内表示装置。
【請求項９】
前記蓄光シートの前記導光板の配設面とは反対側には反射シートが設けられること
を特徴とする請求項７に記載の案内表示装置。
【請求項１０】
前記導光板は、少なくともその一主面に複数の凹部又は凸部が形成されていること
を特徴とする請求項７に記載の案内表示装置。
【請求項１１】
前記導光板は、その一主面及び他主面に複数の凹部又は凸部が形成されており、一主面側の凹部又は凸部は、他主面側の凹部又は凸部とは、所定ピッチずれていること
を特徴とする請求項７に記載の案内表示装置。
【請求項１２】
前記導光板と前記蓄光シートとが、反射シートを挟んで、表面側と裏面側にそれぞれ設けられており、表裏面で異なる情報表示を行うこと
を特徴とする請求項７に記載の案内表示装置。
【請求項１３】
前記蓄光シートを複数枚積層したこと
を特徴とする請求項７に記載の表示パネル。
【請求項１４】
前記導光板の前記蓄光シートの配設位置とは反対側には乳半板と意匠シートとが順に積層されていること
を特徴とする請求項７乃至１３のいずれかに記載の案内表示装置。
【請求項１５】
導光板を使用した照明装置であって、
光を発する光源と、
前記光源に隣接し、前記光源の光を出射する導光板と、
前記導光板の光を受け蓄光すると共に蓄光した光を導出する蓄光シートと、を有し、
前記蓄光シートは、蓄光層と当該蓄光層に前記導光板の光を導くと共に前記蓄光層で蓄光された光を前記導光板側に導出する半透過性反射層とを有していること
を特徴とする照明装置。
【発明の詳細な説明】
【技術分野】
【０００１】
本発明は、少なくとも蓄光シートと導光板を備え、通常状態時には導光板を介して光源の光を表示面より導出し、暗転時には蓄光シートに蓄光された光を導光板を介して表示面より導出するよう構成された表示パネル、案内表示装置及び照明装置に関する。
【背景技術】
【０００２】
従来、道路標識や各種案内標識は、夜間等、暗転時においても正確に案内表示を行うことが必要とされている。さらに、携帯電話機や時計などの表示部についても、夜間等、暗転時においても、正確に情報を読み取れることが必要とされている。このような場合、夜間等において、上記標識や携帯電話機、時計等による各種表示をサポートするバックライトとして機能するものとして蓄光シートが採用されている。
【０００３】
例えば、特許文献１では、基板の表面に図柄が非蓄光性インキで形成され、図柄を覆う状態で白色の蓄光層が形成された誘導灯用表示パネルが開示されている。この技術では蓄光層は透光性があるので視認性を阻害せず、消灯後はライトの役割を担う。
【０００４】
そして、特許文献２では、特に携帯端末装置における表示装置のバックライト装置において、光源ランプによる発光と蓄光材による発光を用い、光源ランプを点灯させなくても充分な明るさで視認可能とした携帯端末装置が開示されている。
【０００５】
さらに、特許文献３では、蓄光シートを粘着剤を介して文字板基板上に貼り合わせて形成した時計用蓄光文字板において、蓄光シートは蓄光の上面に一層の半透明カラー被膜を有し、カラー発光を出現させた時計用文字板が開示されている。
【０００６】
また、特許文献４では、基材シートの表面に蓄光塗料又は蓄光フィルムで形成された発光表示面が形成され、基材シートの上には積層された透光性シートの表面に通常表示面が形成され、周囲が暗くなると発光表示面に表示が切り替わる技術が開示されている。
【０００７】
しかしながら、特許文献１〜４に開示された技術は、いずれも導光板を用いたものではなく、通常発光時は導光板を介して光源の光を導出すると共に蓄光層への蓄光を行い、暗転時に当該蓄光層の光を導光板を介して導出するようなものではない。
【０００８】
ここで、導光板を用いたものとしては以下のものがある。
【０００９】
すなわち、特許文献５では、内部又は外部に蓄光層が形成されている導光板に、蓄光機能のない表示部が設けられ、蓄光層の表示部が設けられていない側に、接着剤層を介して白色フィルムを積層した反射層が設けられている標識が開示されている。
【００１０】
特許文献６では、電気的に発光する光源と、該光源が発する光を導く導光板とを有する面発光表示装置であって、前記導光板の表裏各面を臨む位置に、半透光性を有すると共に可視光以下で白色または近似白色を呈する蓄光顔料による蓄光層を有する蓄光シートが配置された面発光表示装置が開示されている。
【００１１】
なお、蓄光シートに用いられる残光時間の長い蓄光性蛍光体、蛍光物質としては、例えば特許文献７乃至９に開示されたものがある。
【先行技術文献】
【特許文献】
【００１２】
【特許文献１】特開２００７−１８３３７号公報
【特許文献２】特許第４２８２６５１号公報
【特許文献３】実用新案登録第２５７５３０６号公報
【特許文献４】特開２００４−１６３６２１号公報
【特許文献５】特許第４０９４４１０号公報
【特許文献６】特開２００８−１２２７９８号公報
【特許文献７】特許第２５４３８２５号公報
【特許文献８】特許第２６９７６８８号公報
【特許文献９】特許第４６９１９５５号公報
【発明の概要】
【発明が解決しようとする課題】
【００１３】
しかしながら、特許文献５，６に開示された導光板と蓄光層を備えた技術では、蓄光層が表出しているため、クリームがかった色味を呈する表示となっていた。そのため、意匠性が重要視される表示パネル等への適用には不向きであり、用途はおのずと特定の領域に制限されていた。
【００１４】
そこで、本発明はこの様な実情に鑑みてなされたものであり、クリームがかった色味を呈する表示となることを抑え、意匠性の高い表示を実現し、通常発光時には効率良く光源の光を導出することができると共に蓄光もでき、暗転時には効率良く蓄光層の蓄光を導出することができる表示パネル、案内表示装置及び照明装置を提供することを目的とする。
【課題を解決するための手段】
【００１５】
上述技術的な課題を解決するため、本発明の一の態様に係る表示パネルは、光を発する光源と、前記光源に隣接し、前記光源の光を出射する導光板と、前記導光板の光を受け蓄光すると共に蓄光した光を導出する蓄光シートと、を有し、前記蓄光シートは、蓄光層と当該蓄光層に前記導光板の光を導くと共に前記蓄光層で蓄光された光を前記導光板側に導出する半透過性反射層とを有していることを特徴とする。
【００１６】
本発明の他の態様に係る案内表示装置は、光を発する光源と、前記光源に隣接し、前記光源の光を出射する導光板と、前記導光板の光を受け蓄光すると共に蓄光した光を導出する蓄光シートと、前記光源、前記導光板、前記蓄光シートを少なくとも保持する筺体部と、を有し、前記蓄光シートは、蓄光層と当該蓄光層に前記導光板の光を導くと共に前記蓄光層で蓄光された光を前記導光板側に導出する半透過性反射層とを有していることを特徴とする。
【００１７】
本発明の更に他の態様に係る照明装置は、導光板を使用した照明装置であって、光を発する光源と、前記光源に隣接し、前記光源の光を出射する導光板と、前記導光板の光を受け蓄光すると共に蓄光した光を導出する蓄光シートと、を有し、前記蓄光シートは、蓄光層と当該蓄光層に前記導光板の光を導くと共に前記蓄光層で蓄光された光を前記導光板側に導出する半透過性反射層とを有していることを特徴とする。
【発明の効果】
【００１８】
本発明によれば、クリームがかった色味を呈する表示となることを抑え、意匠性の高い表示を実現し、通常発光時には効率良く光源の光を導出することができると共に蓄光もでき、暗転時には効率良く蓄光層の蓄光を導出することができる表示パネル、案内表示装置及び照明装置を提供することができる。
【００１９】
また、前記導光板の一方の側が意匠シートを搭載する意匠シート搭載面となり、前記蓄光シートは、前記導光板の他方側に配置され、前記意匠シート搭載面側に向かって前記半透過性反射層側を配置してなることにより、意匠シートを通して視認してもクリームがかった色味を呈する表示となることを抑え、意匠性の高い表示を実現することができる。
【００２０】
また、前記蓄光シートの前記導光板の配設面とは反対側には反射シートが設けられることにより、通常発光時及び暗転時には、導光板を通過した光源からの光や蓄光シートからの光の輝度を増す効果がある表示パネル、案内表示装置及び照明装置を提供することができる。
【００２１】
また、前記導光板は、少なくともその一主面に複数の凹部又は凸部が形成されていることにより、蓄光シート側やその反対の意匠シート等の側に効率よく光を導光する表示パネル、案内表示装置及び照明装置を提供することができる。
【００２２】
また、前記蓄光シートを複数枚積層したことにより、より蓄光効率と発光効率を高めるとともにクリームがかった色味を呈する表示となることを抑える表示パネル、案内表示装置及び照明装置を提供することができる。
【００２３】
また、前記導光板の前記蓄光シートの配設位置とは反対側には乳半板と意匠シートと透明アクリル板とが順に積層されていることにより、乳半板又は意匠シートは、導光板の凹凸の配置によって発生する光の明暗の度合いから発生するむらを抑制することが出来る表示パネル、案内表示装置及び照明装置を提供することができる。
【００２４】
また、前記導光板は、その一主面及び他主面に複数の凹部又は凸部が形成されており、一主面側の凹部又は凸部は、他主面側の凹部又は凸部とは、所定ピッチずれていることにより導光板の凹凸の配置によって発生する光の明暗の度合いから発生するむらを抑制することが出来る表示パネル、案内表示装置及び照明装置を提供することができる。
【００２５】
また、前記導光板と前記蓄光シートとが、反射シートを挟んで、表面側と裏面側にそれぞれ設けられており、表裏面で異なる情報表示を行うことにより、反対側の表示が映り込むことなく、ニーズに対応した情報を表示する表示パネル及び案内表示装置を提供することができる。
【図面の簡単な説明】
【００２６】
【図１】本発明の第１の実施形態に係る表示パネルの構成図である。
【図２】本発明の第１の実施形態に係る表示パネルの蓄光ならびに発光の原理を説明する図である。
【図３】本発明の第１の実施形態に係る表示パネルの外観図である。
【図４】本発明の第２の実施形態に係る看板の構成図である。
【図５】（ａ）及び（ｂ）は本発明の第２の実施形態に係る案内表示装置の外観図（表面）である。
【図６】本発明の第２の実施形態に係る案内表示装置の分解斜視図である。
【図７】本発明の第２の実施形態に係る案内表示装置の側面断面図である。
【図８】反射ドットの形成パターンを説明する概念図である。
【発明を実施するための形態】
【００２７】
以下、本発明の表示パネル及び案内表示装置に係る好適な実施形態について図面を参照しながら説明する。なお、本発明の表示パネル及び案内表示装置は、以下の記述に限定されるものではなく、本発明の要旨を逸脱しない範囲において、適宜変更可能である。
【００２８】
＜第１の実施形態＞
先ず、本発明の第１の実施形態について説明する。
【００２９】
図１には本発明の第１の実施形態に係る表示パネルの構成を示し説明する。
【００３０】
この図１に示されるように、この実施形態に係る表示パネル１は、光源１１としてのＬＥＤを備えている。そして、この光源１１としてのＬＥＤからの入射光を側面から受けるように導光板７が配設されている。この導光板７は、例えば、透明なアクリル樹脂等により構成されている。この例では、導光板７の上下の両側面から入射光を受けるように上下２か所に光源１１としてのＬＥＤが設けられているが、片側だけでもよい。
【００３１】
導光板７の一主面に対向するように蓄光シート６が配設されており、当該蓄光シート６の後面には反射シート２が配設されている。蓄光シート６は、導光板７側から半透過性反射層５、蓄光層４、透明支持体としてのＰＥＴ層３が積層された積層構造となっている。
【００３２】
すなわち、蓄光シート６は、透明支持体となるＰＥＴ層３の表面に、アクリル樹脂材料に微粉末の蓄光顔料を混合した蓄光層４を積層し、更にその蓄光層４の上に半透過性反射層５を積層して構成される。そして、反射シート２は、基材表面に例えば白色アクリル樹脂フィルム等を積層して構成されている。但し、これに限定されない。
【００３３】
即ち、透明支持体はＰＥＴフィルム、その他、透明であれば、アクリル、ＰＣ等適宜採用することが可能である。また、蓄光層４についても、この第１の実施形態では、アルミン酸ストロンチウムからなる蓄光顔料を採用したが、これに限定されず、ＺｎＳなどと、バインダ樹脂、アクリル、ＰＶＣ、ポリエステルなど、支持体に密着し、顔料層を形成できれば適宜選べる。また、アルミン酸ストロンチウムに賦活（付活）剤として希土類元素を添加した蓄光顔料を採用することもできる。また、ＺｎＳ（硫化亜鉛）を主成分とする場合には、添加物として例えば金属類となるＣｕを含んでよい。さらに、半透過性反射層５としては、白色顔料としてのＴｉＯ２を採用したが、これに限定されず白色顔料としてのＢａＳＯ４、ＭｇＯ、ＺｒＯ、Ｔａｌｃ、Ａｌ２Ｏ３、ＰＭＭＡ、ＰＥ、ＰＰ等と、バインダ樹脂、アクリル、ＰＶＣ、ポリエステル等顔料層を形成できれば適宜選べる。この例では、透明支持体となるＰＥＴ層３を備える構成としたが、透明支持体を備えない構成としてもよいことは勿論である。
【００３４】
なお、ここでは、蓄光シート６が反射シート２に対向して面接触するように配設される例を示したが、蓄光シート６が粘着層を更に備え、当該粘着層により反射シート２あるいは導光板７に貼り付けられるようにしてもよい。
【００３５】
この場合、蓄光シート６の各層のサイズは、例えば、ＰＥＴ層３が３８μｍ、蓄光層４が２２０〜２３０μｍ、粘着層が１０〜２５μｍ、剥離紙が１６０〜１６５μｍとすることができる。また、半透過性反射層５だけを取り出した場合、数十μｍとすることができる。但し、これには限定されない。
【００３６】
一方、導光板７の蓄光シート６の配設位置とは反対側の面には、乳半板８、意匠シート９、透明アクリル板１０が順に配設されている。乳半板８は、導光板７から導出された光を効率的に拡散させるためのものである。意匠シート９とは、例えばポスター等がこれに相当する。透明アクリル板１０が、意匠シート９を乳半板８との間で挟持するための固定部材としての役割を担うものである。
【００３７】
このような構成において、平常時には、電源供給により光源１１としてのＬＥＤが発光し、導光板７を介してその光が導出され、乳半板８で拡散され、ポスター等の意匠シート９を照らすと同時に、光源１１の光は導光板７を介して蓄光シート６にも導かれ、当該蓄光シート６の蓄光層４が光エネルギーを蓄える。一方、無電源時には、蓄光シート６の蓄光層４より発光された光が導光板７を介して乳半板８に導かれ、当該乳半板８により拡散され、ポスター等の意匠シート９が照らされることになる。
【００３８】
本実施形態に係る表示パネルの特徴の１つは、蓄光シート６が半透過性反射層５を有することにある。半透過性反射層５は、光源１１としてのＬＥＤからの導光板７を介した入射光及び蓄光シート６の蓄光層４の発光を透過させることができる。これにより、平常時は、ＬＥＤによる表示、暗転時には蓄光光源による表示が可能となるので、サイン業界等、意匠性を重視する領域や、暗転時の安全を確保する領域に展開可能となる。
【００３９】
ここで、図２を参照して、本実施形態に係る表示パネルに採用された半透過性反射層の基本原理について更に詳細に説明する。
【００４０】
平常時には、半透過性反射層５は、導光板７より供給される光を反射して、蓄光顔料特有のクリーム色を意匠面に表現しないことに寄与する。同時に、半透過性反射層５は、導光板７からの光の一部を透過し、蓄光層４に供給する。これにより、蓄光層４による蓄光がなされることになる。
【００４１】
一方、無電源時には、半透過性反射層５は、蓄光シート６の蓄光層４の発光を妨げることなく、導光板７、乳半板８、ひいては意匠シート９側に透過させる。また、蓄光シート６の裏側に配設された反射シート２は、蓄光シート６の蓄光層４より発光された光を反射し、半透過性反射層５を透過させ、導光板７、乳半板８、ひいては意匠シート９側へと光を届けることができる。尚、反射シート２の蓄光シート６に接する面の反射率は蓄光シート６の半透過性反射層５の反射率よりも大きくてよい。
【００４２】
尚、上記説明では、蓄光シートを１枚用いる例を示したが、蓄光シートは複数枚重ねるようにして蓄光効率を高めるようにしてもよいことは勿論である。
【００４３】
次に、図３には本実施形態に係る表示パネル１の外観構成図を示し説明する。
【００４４】
図３に示されるように、この実施形態に係る表示パネル１では、図１で前述したような反射シート２、蓄光シート６、導光板７、乳半板８、意匠シート９、透明アクリル板１０からなる積層構造を、アルミフレーム１２により四方を挟持した状態で保持している。このとき、上下のアルミフレーム１２の中に光源１１としてのＬＥＤも格納されている。但し、挟持用のフレームとしては、アルミフレーム１２に限定されず、種々の材質のものを採用することができる。
【００４５】
以上説明したように、本発明の第１の実施形態として、光を発する光源１１としてのＬＥＤと、光源１１に隣接し、光源の光を出射する導光板７と、導光板７の光を受け蓄光すると共に蓄光した光を導出する蓄光シート６とを有し、蓄光シート６は、蓄光層４と当該蓄光層４に前記導光板７の光を導くと共に蓄光層４で蓄光された光を導光板７側に導出する半透過性反射層５とを有していることを特徴とする表示パネル１が提供される。これによれば、暗転時においても、蓄光層４に蓄光された光により表示を行うことができる。
【００４６】
この表示パネル１は、蓄光シート６の導光板７の配設面とは反対側には反射シート２が設けられていてよい。さらに、半透過性反射層５の反射率は、反射シート２の反射率よりも低いこととしてもよい。これによれば、半透過性反射層５が、光源からの光を透過して蓄光層へと好適に導くと共に、蓄光層からの光を好適に透過し、導光板７へと導くことができる。
【００４７】
また、導光板７は、少なくともその一主面に複数の凹部又は凸部が形成されていることとしてもよい。これによれば、導光板７による光の拡散が好適になされる。また、蓄光シート６を複数枚積層してもよい。これによれば、蓄光効率を高め発光光量を増加させることができる。そして、導光板７の蓄光シート６の配設位置とは反対側には乳半板８と意匠シート９と透明アクリル板１０とが順に積層されていることとしてもよい。これによれば、光源の光あるいは蓄光層に蓄光された光により、意匠シートを好適に照明することができる。
【００４８】
従って、この第１の実施形態に係る表示パネルによれば、クリームがかった色味を呈する表示となることを抑え、意匠性の高い表示を実現し、通常発光時には効率良く光源の光を導出することができると共に蓄光もでき、暗転時には効率良く蓄光層の蓄光を導出することができることとなる。
【００４９】
尚、第１の実施形態に係る表示パネルを、意匠シート９と透明アクリル板１０とがない構成、或いは更に乳半板８のない構成として、床面や壁面、天井面に搭載され、光壁、光床、光天井を実現する照明装置とすることもできる。この場合にも、通常発光時のみならず、暗転時においても好適な発光を継続できることになる。
【００５０】
＜第２の実施形態＞
次に、本発明の第２の実施形態について説明する。
【００５１】
図４には本発明の第２の実施形態に係る案内表示装置の構成を示し説明する。
【００５２】
この図４に示されるように、この実施形態に係る案内表示装置２０は表裏両面で案内表示をすることが可能となっている。なお、基本的に左右対称な構成となっているので、図４において、同一部材には同一符号を用いている。
【００５３】
案内表示装置２０は、光源２９としてのＬＥＤを備えている。そして、この光源２９としてのＬＥＤからの入射光を側面から受けるように導光板２６が配設されている。この導光板２６は、例えば、透明なアクリル樹脂等により構成されている。この例では、導光板２６の上側面から入射光を受けるように上部１箇所に光源２９としてのＬＥＤが設けられているが、光源２９の配設位置は、これに限定されるものではない。
【００５４】
そして、各導光板２６の一主面に対向するように内側位置には蓄光シート２５が配設されており、当該蓄光シート２５の後面には反射シート２１が配設されている。この例では左右の構成で１枚の反射シート２１を兼用する例を示しているが２枚積層してもよい。反射シート２１を積層しない構成でも実現できる。蓄光シート２５は、導光板２６側から半透過性反射層２４、蓄光層２３、ＰＥＴ層２２が積層された積層構造となっている。
【００５５】
すなわち、蓄光シート２５は、透明支持体となるＰＥＴ層２２の表面に、アクリル樹脂材料に微粉末の蓄光顔料を混練した蓄光層２３を積層し、更にその蓄光層２３の上に半透過性反射層２４を積層して構成される。そして、反射シート２は、基材表面に例えば白色アクリル樹脂フィルム等を積層して構成されている。但し、これに限定されない。
【００５６】
即ち、透明支持体はＰＥＴフィルム、その他、透明であれば、アクリル、ＰＣ等適宜採用することが可能である。また、蓄光層４についても、この第１の実施形態では、アルミン酸ストロンチウムからなる蓄光顔料を採用したが、これに限定されず、ＺｎＳ等と、バインダ樹脂、アクリル、ＰＶＣ、ポリエステルなど、支持体に密着し、顔料層を形成できれば適宜選べる。また、アルミン酸ストロンチウムに賦活（付活）剤として希土類元素を添加した蓄光顔料を採用することもできる。また、ＺｎＳ（硫化亜鉛）を主成分とする場合には、添加物として例えば金属類となるＣｕを含んでよい。さらに、半透過性反射層５としては、白色顔料としてのＴｉＯ２を採用したが、これに限定されず白色顔料としてのＢａＳＯ４、ＭｇＯ、ＺｒＯ、Ｔａｌｃ、Ａｌ２Ｏ３、ＰＭＭＡ、ＰＥ、ＰＰ等と、バインダ樹脂、アクリル、ＰＶＣ、ポリエステル等顔料層を形成できれば適宜選べる。なお、この例では、透明支持体となるＰＥＴ層２２を備える構成としたが、透明支持体を備えない構成としてもよいことは勿論である。
【００５７】
なお、ここでは、蓄光シート２５が反射シート２１に対向して面接触するように配設される例を示したが、蓄光シート２５が粘着層を更に備え、当該粘着層により反射シート２１あるいは導光板２６に貼り付けられるようにしてもよい。
【００５８】
この場合、蓄光シート２５の各層のサイズは、例えば、ＰＥＴ層２２が３８μｍ、蓄光層２３が２２０〜２３０μｍ、粘着層が１０〜２５μｍ、剥離紙が１６０〜１６５μｍとすることができる。また、半透過性反射層２４だけを取り出した場合、数十μｍとすることができる。但し、これには限定されない。
【００５９】
一方、導光板２６の蓄光シート２５の配設位置とは反対側の面には、乳半板２６、意匠シート２８が順に配設されている。乳半板２７は、導光板２６から導出された光を効率的に拡散させるためのものである。意匠シート２８は各種案内表示シートである。以上の表裏両面の反射シート２１、蓄光シート２５、導光板２６、乳半板２７、意匠シート２８により積層体３０が構成される。
【００６０】
このような構成において、平常時には、電源供給により光源２９としてのＬＥＤが発光し、導光板２６を介してその光が導出され、乳半板２７で拡散され、意匠シート２８を介して各種案内表示を行うと同時に、光源２９の光は導光板２６を介して蓄光シート２５にも導かれ、当該蓄光シート２５の蓄光層２３が光エネルギーを蓄える。
【００６１】
一方、無電源時には、蓄光シート２５の蓄光層２３より発光された光が導光板２６を介して乳半板２７に導かれ、当該乳半板２７により拡散され、意匠シート２８を介して各種案内表示を行うことになる。
【００６２】
この第２の実施形態に係る案内表示装置２０の特徴の１つは、半透過性反射層２４を有することにある。半透過性反射層２４は、光源２９としてのＬＥＤからの導光板２６を介した入射光及び蓄光シート２５の蓄光層２３の発光を透過させることができる。これにより、平常時は、ＬＥＤによる表示、暗転時には蓄光光源による表示が可能となるので、サイン業界等、意匠性を重視する領域や、暗転時の安全を確保する領域に展開可能となる。
【００６３】
すなわち、平常時には、半透過性反射層２４は、導光板２６より供給される光を反射して、蓄光顔料特有のクリーム色を意匠面に表現しないことに寄与する。同時に、半透過性反射層２４は、導光板２６からの光の一部を透過し、蓄光層２３に供給する。これにより蓄光層２３による蓄光がなされることになる。
【００６４】
一方、無電源時には、半透過性反射層２４は、蓄光シート２５の蓄光層２３より発光された光を透過させ、導光板２６より導出させ、乳半板２７で拡散させ、意匠シート２８より導出させる。また、蓄光シート２５の裏側（内側）に配設された反射シート２１は、蓄光シート２５の蓄光層２３より発光された光を反射し、半透過性反射層２４を透過させ、導光板２６、乳半板２７、ひいては意匠シート２８を介して光を導出させる。尚、反射シート２１の蓄光シート２５に接する面の反射率は、蓄光シート２５の半透過性反射層２４の反射率よりも大きくてよい。
【００６５】
尚、上記説明では、１枚の導光板に対して蓄光シートを１枚用いる例を示したが、蓄光シートは複数枚重ねるようにして発光光量を増大させるようにしてもよいことは勿論である。
【００６６】
ここで、図５（ａ），（ｂ）は本発明の第２の実施形態に係る案内表示装置２０の外観構成図であり、いずれも表面の案内表示の様子を示している。そして、図５（ａ）は点灯時の案内表示の様子を示し、図５（ｂ）は消灯時の案内表示の様子を示している。
【００６７】
ここでは、表示面の左半分の領域にのみ蓄光シート２５を設ける例を示したので、点灯時には光源２９の光が導光板２６より導出され、乳半板２７で拡散され、意匠シート２８より導出され、所定の案内表示が全面にわたりなされるが（図５（ａ）参照）、消灯時には蓄光シート２５が設けられた左半分の領域のみ、蓄光シート２５の蓄光層２３の光が導光板２６より導出され、乳半板２７で拡散され、意匠シート２８より導出され、所定の案内表示がなされる（図５（ｂ）参照）。
【００６８】
次に、図６には本発明の第２の実施形態に係る案内表示装置の分解斜視図を示し、図７には当該案内表示装置の側面断面図を示し、各部の構成を説明する。
【００６９】
図６，７に示されるように、筐体部３１は、ステンレスの板を複数回屈折させて、下部の中央が開口し内部に空間を設けた角柱形状に形成されている。また、筐体部３１に収納される第１保持部材３２及び第２保持部材３３は、それぞれステンレスの板を２回屈折させて、Ｌ字状を組み合わせた形状に形成されている。また、固定部材３４は、ボルト及びナットから成り、密閉蓋３５は、アルミニウムの平板から成る。
【００７０】
第１保持部材３２及び第２保持部材３３を用いて、積層体３０を挟み込む。その上で固定部材３４のボルトを、第２保持部材３３に形成された貫通孔３３ａ、積層体３０に形成された貫通孔３０ａ、及び第１保持部材３２に形成された貫通孔３２ａの順で挿通し、ナットで固定する。その上で、第１保持部材３２の底面及び第２保持部材３３の底面を、筺体３１の内部に載置している。また、密閉蓋３５を用いて、筺体３１と第１保持部材３２及び第２保持部材３３の側部を密閉している。
【００７１】
ここで、導光板２６には、一主面及び他主面からの効率的な拡散を実現するために、凹部又は凸部を形成してよいが、例えば凹部を形成する場合には、図８に示されるように例えば２ステップに分けた工程により、導光板に凹部群を形成してもよい。
【００７２】
すなわち、導光板２６の左端（初期位置）において超音波加工用ホーンの先端を導光板２６に接触させて凹部群を形成した後（領域Ｓ１）、超音波加工用ホーンを導光板から離した後に平行移動させ、１ホーンピッチだけ右方向に移動したところで、再度、超音波加工用ホーンの先端を導光板２６に接触させて凹部群を形成し（領域Ｓ２）、これらの動作を繰り返すことで（・・・領域Ｓｎ）、導光板２６の表面一様に第１の凹部群を形成する。続いて、超音波加工用ホーンを、上記初期位置よりも右方向に１／２ドットピッチ、下方向に１／２ドットピッチだけずれた位置に移動させ、当該位置において、超音波加工用ホーンの先端を導光板２６に接触させて凹部群を形成した後（領域ＳＳ１）、超音波加工用ホーンを導光板２６から離した後に平行移動させ、１ホーンピッチだけ右方向に移動したところで、再度、超音波加工用ホーンの先端を導光板２６に接触させて凹部群を形成し（領域ＳＳ２）、これら動作を繰り返すことで（・・・領域ＳＳｎ）、導光板２６の表面一様に第２の凹部群を形成する。形成される第２の凹部群は、第１の凹部群と重なることはなく、互い違いに形成されることとなる。
【００７３】
このほか、凹部を導光板２６の光源２９からの距離が遠くなるにつれて深さが段階的に深くなるように形成することで一様な発光分布が得られるようにしてもよい。
【００７４】
以上説明したように、本発明の第２の実施形態として、光を発する光源２９としてのＬＥＤと、光源２９に隣接し、光源２９の光を出射する導光板２６と、導光板２６の光を受け蓄光すると共に蓄光した光を導出する蓄光シート２５と、光源２９、導光板２６、蓄光シート２５を少なくとも保持する筺体部３１と、を有し、蓄光シート２５は、蓄光層２３と当該蓄光層２３に前記導光板２６の光を導くと共に蓄光層２３で蓄光された光を導光板２６側に導出する半透過性反射層２４とを有していることを特徴とする案内表示装置が提供される。従って、光源或いは蓄光シートの蓄光された光により昼夜を問わず案内表示することが可能となる。
【００７５】
ここで、蓄光シート２５の導光板２６の配設面とは反対側には反射シート２１が設けられることとしてよい。さらに、半透過性反射層２４の反射率は、反射シート２１の反射率よりも低いこととしてよい。これによれば、光源の光を効率良く蓄光シートに導き、蓄光効率を高めることが可能となる。
【００７６】
さらに、導光板２６は、少なくともその一主面に複数の凹部又は凸部が形成されていることとしてよい。また、導光板２６は、その一主面及び他主面に複数の凹部又は凸部が形成されており、一主面側の凹部又は凸部は、他主面側の凹部又は凸部とは、所定ピッチずれていることとしてよい。これによれば、導光板２６の拡散効率が高められる。
【００７７】
さらに、導光板２６と蓄光シート２５とが、反射シート２１を挟んで、表面側と裏面側にそれぞれ設けられており、表裏面で異なる情報表示を行うこととしてもよい。これによれば、案内板等、他方面から視認され得る案内表示装置が実現される。
【００７８】
そして、蓄光シート２５を複数枚積層してもよい。これによれば、発光光量を増大させることができる。
【００７９】
さらに、導光板２６の蓄光シート２５の配設位置とは反対側には乳半板２７と意匠シート２８とが順に積層されていることとしてよい。これによれば、光源或いは蓄光シートに蓄光された光により意匠シートの印字面を好適に照射し、各種の案内表示を行うことが可能となる。
【００８０】
従って、この第２の実施形態に係る案内表示装置によれば、クリームがかった色味を呈する表示となることを抑え、意匠性の高い表示を実現し、通常発光時には効率良く光源の光を導出することができると共に蓄光もでき、暗転時には効率良く蓄光層の蓄光を導出することができることとなる。
【００８１】
また、上記意匠シートとして、透過性シートと不透過性シートとを混在させれば、通常発光時と暗転時とで異なる案内表示を行うこともできる。
【実施例】
【００８２】
本発明の実施例が採用した蓄光シートの半透過性反射層の反射率は、蓄光（励起）現象に与える影響と蓄光発光現象に与える影響が大きい４４０ｎｍ〜５２０ｎｍの領域で、例えば６０〜９５％である。また、本発明の実施例が採用した蓄光シートの透過率は、蓄光（励起）現象に与える影響と蓄光発光現象に与える影響が大きい４４０ｎｍ〜５２０ｎｍの領域で、例えば平均で５〜２５％であり、透過率を実現している。これは効率的な蓄光及び発光に寄与することを意味する。
【００８３】
最後に、蓄光シートの裏面使用、表面使用の場合の照度、ｘ（ＣＩＥ色度）、ｙ（ＣＩＥ色度）、色の相違度合いについて表１にまとめる。同表から、蓄光シートの裏面使用によれば、表面使用の場合に比して良好な結果が出ていることが分かる。また、ＣＩＥ色度についても、導光板のみの使用の場合に比しても、遜色のない良好な値となっていることがわかる。
【００８４】
【表１】
2015041087.tif 000003
尚、色の相違度合いは視覚により確認し、その評価を示している。照度及び色度は色彩照度分光計で測定した。
【符号の説明】
【００８５】
１  表示パネル
２  反射シート
３  ＰＥＴ層
４  蓄光層
５  半透過性反射層
６  蓄光シート
７  導光板
８  乳半板
９  意匠シート
１０  透明アクリル板
１１  光源
１２  フレーム
２０  案内表示装置
２１  反射シート
２２  ＰＥＴ層
２３  蓄光層
２４  半透過性反射層
２５  蓄光シート
２６  導光板
２７  乳半板
２８  意匠シート
２９  光源
２９ａ  ＬＥＤ
２９ｂ  基板
３０  積層体
３１  筺体部
３２  第１保持部材
３３  第２保持部材
３４  固定部材
３５  密閉蓋
３６  貫通孔
【図１】
2015041087.tif 000004
【図２】
2015041087.tif 000005
【図３】
2015041087.tif 000006
【図４】
2015041087.tif 000007
【図５】
2015041087.tif 000008
【図６】
2015041087.tif 000009
【図７】
2015041087.tif 000010
【図８】
2015041087.tif 000011